(57)【要約】      （修正有）【課題】視認性のよい表示装置、及び、これを用いた電子機器を提供する。【解決手段】  光路（４１）の一端側（４１１）に配置された表示部（５０）と、前記光路（４１）の前記一端側（４１１）に入力された光を他端側（４１２）に出力する並列に配置された光路板（４０）と、前記光路（４１）の前記他端側（４１２）に対向して備えられた光触媒部（３０）とを含む表示装置（１０）。【選択図】  図３
2007187972.tif 000002
【特許請求の範囲】
【請求項１】
一端側に入力された光を他端側に出力する光路が並列に配置された光路板と、前記光路の前記他端側に対向して備えられた光触媒部とを含む
表示装置。
【請求項２】
請求項１に記載された表示装置であって、
前記光路板は、複数の光ファイバから構成されていることを特徴とする表示装置。
【請求項３】
請求項１又は２に記載された表示装置であって、
前記光路の前記一端側に対向して表示面が備えられた表示部を備え、
前記表示面は、前記光路の前記一端側に光を出力することを特徴とする
表示装置。
【請求項４】
請求項１から請求項３までの何れか１項に記載された表示装置であって、
前記光触媒部の厚みをｔ１とし、前記光路の最大径をｔ２としたとき、
０．０１≦  ｔ２／ｔ１  ≦１００
であることを特徴とする表示装置。
【請求項５】
請求項１から請求項４までの何れか１項に記載された表示装置であって、
前記光触媒部の厚みをｔ１としたとき、
０．１μｍ≦  ｔ１  ≦５ｍｍ
であることを特徴とする表示装置。
【請求項６】
請求項１から請求項５までの何れか１項に記載された表示装置を用いたことを特徴とする電子機器。
【請求項７】
請求項６に記載された電子機器であって前記表示装置に近接して配置されたファインダを含むことを特徴とする電子機器。
【請求項８】
請求項６又は７に記載された電子機器であって前記表示装置に近接して配置された操作スイッチを含むことを特徴とする電子機器。
【請求項９】
請求項６から請求項８までの何れか１項に記載された電子機器であって、スチルカメラ、又は、ビデオカメラであることを特徴とする電子機器。
【発明の詳細な説明】
【技術分野】
【０００１】
本発明は、表示装置、及び、電子機器に関するものである。
【背景技術】
【０００２】
表示装置は、例えば、システムの情報、画像情報等を表示するためのものであり、近年、あらゆる電子機器に備えられている。この種の表示装置には、表示される映像の視認性の向上が求められる。特に、スチルカメラ、ビデオカメラ、携帯電話など、画像情報を扱う電子機器に備えられる表示装置には、映像を鮮明、精緻に表示できることが強く求められる。
【０００３】
表示装置は、その表面に皮脂や指紋などの異物が付着すると、表示される映像の視認性が悪くなることから、光触媒を用いて表示装置の表面に付着した皮脂などの異物を除去する防汚技術が知られている。
【０００４】
例えば、従来の映像装置は、映像を表示する表示部と、表示部を保護するガラス板と、ガラス板の上に形成された光触媒層とを設けている。この従来の映像装置によれば、ガラス板の上に形成された光触媒層により、映像装置の表面に付着した皮脂などの異物を除去し、映像の視認性の劣化を低減させることができる。
【０００５】
しかしながら、ガラス板の上に光触媒層を形成する従来の映像装置では、光触媒層が不透明になるにつれて映像の視認性が低下するという問題が生じていた。特に、光触媒による十分な防汚効果を得るためには、光触媒層を厚くしたり、光触媒層に微小な空隙を多数設ける等の処理が必要であり、このような処理により光触媒層の透明性が更に低下するという問題が生じていた。
【特許文献１】特開平９−１８６９４９号公報
【発明の開示】
【発明が解決しようとする課題】
【０００６】
本発明の課題は、良好な視認性が得られる表示装置、及び、電子機器を提供することである。
【課題を解決するための手段】
【０００７】
本発明は、以下のような解決手段により前記課題を解決する。なお、理解を容易にするために、本発明の一実施例を示す図面に対応する符号を付して説明するが、これに限定されるものではない。
【０００８】
請求項１に記載の発明は、一端側（４１１）に入力された光を他端側（４１２）に出力する光路（４１）が並列に配置された光路板（４０）と、光路（４１）の他端側（４１２）に対向して備えられた光触媒部（３０）とを含む
表示装置（１０）である。
【０００９】
請求項２に記載の発明は、請求項１に記載された表示装置（１０）であって、
光路板（４０）は、複数の光ファイバから構成されていることを特徴とする表示装置（１０）である。
【００１０】
請求項３に記載の発明は、請求項１又は２に記載された表示装置（１０）であって、光路（４１）の一端側（４１１）に対向して表示面（５００）が備えられた表示部（５０）を備え、表示面（５００）は、光路（４１）の一端側（４１１）に光を出力することを特徴とする表示装置（１０）である。
【００１１】
請求項４に記載の発明は、請求項１から請求項３までの何れか１項に記載された表示装置（１０）であって、光触媒部（３０）の厚みをｔ１とし、光路（４１）の最大径をｔ２としたとき、
０．０１≦  ｔ２／ｔ１  ≦１００
であることを特徴とする表示装置（１０）である。
【００１２】
請求項５に記載の発明は、請求項１から請求項４までの何れか１項に記載された表示装置（１０）であって、光触媒部（３０）の厚みをｔ１としたとき、
０．１μｍ≦  ｔ１  ≦５ｍｍ
であることを特徴とする表示装置（１０）である。
【００１３】
請求項６に記載の発明は、請求項１から請求項５までの何れか１項に記載された表示装置（１０）を用いたことを特徴とする電子機器（１）である。
請求項７に記載の発明は、請求項６に記載された電子機器（１）であって、表示装置（１０）に近接して配置されたファインダ（９５１）を含むことを特徴とする電子機器（１）である。
【００１４】
請求項８に記載の発明は、請求項６又は７に記載された電子機器（１）であって、表示装置（１０）に近接して配置された操作スイッチ（９９）を含むことを特徴とする電子機器（１）である。
【００１５】
請求項９に記載の発明は、請求項６から請求項８までの何れか１項に記載された電子機器（１）であって、スチルカメラ、又は、ビデオカメラであることを特徴とする電子機器（１）である。
【００１６】
なお、符号を付して説明した構成は適宜改良してもよく、また、少なくとも一部を他の構成物に代替してもよい。
【発明の効果】
【００１７】
本発明によれば、視認性のよい表示装置、及び、これを用いた電子機器を提供することができる。
【発明を実施するための最良の形態】
【００１８】
以下、図面等を参照して、本発明の実施例をあげて、さらに詳しく説明する。なお、本発明の電子機器は、例えば、スチルカメラ、ビデオカメラ、ＣＲＴ（陰極線管）型テレビ、液晶テレビ等の映像装置、携帯電話等の通信装置などとすることができるが、以下の実施例では、一眼レフ型のカメラを例にとって説明する。
【実施例１】
【００１９】
図１は本実施例に係る電子機器１の一実施例を示す模式図、図２は表示装置１０の一実施例を示す斜視図、図３は図２のＡ−Ａ線に沿った断面図である。
図１において、本実施例の電子機器１は、レンズなどの撮影光学系９１と、撮影光学系９１を通して入射した光線を折返すメインミラー９２と、メインミラー９２により折返された被写体像が投影されるスクリーン９３と、ボディ（本体部）９０の背面に配置された本実施例の表示装置１０と、表示装置１０に近接して備えられたファインダ９５１及び操作スイッチ９９とを含む。表示装置１０は、例えば、撮影した画像、撮影情報（設定された撮影条件等）、システムの情報などを表示するディスプレイである。図において、ファインダ９５１は、表示装置１０が形成された面において、表示装置１０の上側に備えられている。
【００２０】
このような構成を有する電子機器１は、撮影前においては、スクリーン９３に投影された被写体像がペンタプリズム９４、接眼レンズ９５、およびファインダ９５１を介して、ファインダ画像として撮影者に観察される。一方、撮影時には、レリーズボタンを押すと、光軸９６を含む光路からミラー９２が退避し、シャッター９７が所定時間開放され、撮像素子９８の撮像面に被写体光束が到達し露光が行われる。撮影された画像情報などは、表示装置１０に表示される。
【００２１】
次に、図２、図３を参照して、本実施例に係る表示装置１０について詳細に説明する。図２において、表示装置１０は、液晶ディスプレイなどの表示部５０と、表示部５０の上に設けられた光路板４０と、光路板４０の上に設けられた光触媒部３０とを含む。
【００２２】
図３において、表示部５０は、その表面に形成された表示面５００から光を発するものである。表示部５０の例としては、例えば、液晶ディスプレイ、有機ＥＬ(Electro Luminescence)ディスプレイなどを挙げることができる。
【００２３】
図示の表示部５０は、例えば、液晶と薄膜トランジスタを組み合わせたアクティブマトリックス方式のディスプレイであり、白色光を出力するバックライトユニット５１と、バックライトユニット５１から出力された白色光を偏光させる偏光フィルム５２と、所定の電圧分布を生じさせるTFT(Thin Film Transistor)基板５３と、TFT基板５３の電圧分布により通過光量を制御する液晶層５４と、色彩を付与するカラーフィルター基板５５と、通過する光を制御して表示面５００から画像の光束を出力する偏光フィルム５６とを含む。
【００２４】
光路板４０は、例えば、数千本〜数千万本程度の光路４１が並列に束ねて接合され、薄い板状に形成されている。光路４１の断面形状は任意である。光路４１の最大径ｔ２は、０．１μｍから１０μｍ程度とすることが好ましく、例えば、１μｍ程度とすることが更に好ましい。この範囲であれば、波長が３．８×１０-7ｍ〜７．８×１０-7ｍ程度の可視光線を良好に伝達できるからである。
【００２５】
光路４１は、例えば、ガラス光学ファイバ（光ファイバ）であり、その一端側４１１が表示面５００に対向して備えられており、一端側４１１に入力された光を他端側４１２に出力する機能を有する。複数の光路４１が並列に配置された光路板４０は、複数の光路４１の一端側４１１に入射した画像を他端側４１２に伝達する。
【００２６】
光触媒部３０は、光路４１の他端側４１２に対向して備えられている。光触媒とは、そのバンドギャップ以上のエネルギーを持つ波長の光（室内灯や自然光中の近紫外線など）が照射されると光励起により伝導帯に電子を生じ、価電子帯に正孔を生じる物質をいう。図において光触媒部３０は、例えば、酸化チタンを主成分とする透光性光触媒膜からなるが、酸化亜鉛、酸化タングステンなどを主成分とするものであってもよい。
【００２７】
光触媒部３０を光路板４０に固着させる方法として、例えば、以下のように行うことができる。まず光触媒を、水、アルコール、トルエンなどの溶媒に懸濁させる。必要に応じて分散剤や結着剤を加えても良い。次に、得られた懸濁液を、含浸法、ディップコーティング法、スピナーコーティング法などにより光路板４０に塗布し、次いで、乾燥させて光触媒を固定させる。必要に応じて、乾燥させた光触媒を焼成し、光触媒部３０を光路板４０に強固に接着させてもよい。光触媒の焼成は１００℃以上で行うことが好ましい。なお、光路板４０に無機ケイ素化合物や有機ケイ素化合物をアンダーコーティングし、このアンダーコーティング上に、上記の方法によって光触媒部３０を固着させても良い。
【００２８】
上述したように、図示の表示装置１０は、光路板４０の他端側４１２に光触媒部３０が配置されているので、光触媒部３０に付着した皮脂、手脂、塵埃や煙草のやに、黴、悪臭物等の有機物６０を光で分解除去することができる。
【００２９】
光触媒の光励起により光触媒部３０から放出された活性な電子が、光触媒部３０に付着した有機物６０を分解、除去するので、防汚性、防黴性、防臭性等が図られる。
更に、光触媒の光励起により生じた強い還元力を有する電子や、強い酸化力を有する正孔が水分と反応して、活性酸素、活性なＯＨラジカルなどを生成し、これが光触媒部３０に付着した有機物６０を分解、除去するので、防汚性、防黴性、防臭性の除去等が図られる。光触媒の作用を強力に働かせるためには、光触媒部３０の厚みｔ１を０．１μｍ以上とすることが好ましく、１μｍ程度とすることが更に好ましい。
【００３０】
図４は、図２、図３に示した表示装置の使用態様を説明する図である。
図４において、表示部５０の表示面５００から出力された画像の光束は、光路板４０の一端側４１１に入射され、光路４１のそれぞれを通過し、他端側４１２に伝達され、光触媒部３０に投影される。したがって、肉眼８０で本実施例の表示装置１０を観察すると、光触媒部３０が被観察位置Ｆ１となり、光触媒部３０に投影された画像が視認される。すなわち、表示部５０の表示面５００から光触媒部３０に画像が浮き上がったように見える。
【００３１】
図５は、比較例の表示装置の使用態様を説明する図である。図５に示した比較例の表示装置は、図４に示した光路板４０に換えて、表示部５０を保護をするためのガラス板７０を含む。
【００３２】
図５において、表示部５０の表示面５００から出力された画像の光束は、ガラス板７０の下端面の付近に投影され、被観察位置がＦ２となる。ガラス板７０の下端面に投影された画像の光束は、その手前にあるガラス板７０や光触媒部３０で拡散する。このため、比較例の表示装置では、被観察位置Ｆ２（ガラス板７０の下端面）の手前にあるガラス板７０や光触媒部３０が障害となり、ボケた画像が視認されることとなる。
【００３３】
これに対して、図４に示した本実施例では、肉眼８０と被観察位置Ｆ１との間に、ガラス板、光触媒部などの障害物が存在していないので、視認性が妨げられない。
したがって、本実施例では、光触媒の防汚効果を高めるために光触媒部３０の厚みを厚くする等の処理を行い、光触媒層が不透明になった場合でも、鮮明、精緻な画像を視認し得る。
【００３４】
更に、本実施例では、光路板４０が表示部５０を覆っているから、光路板４０により表示部５０が保護される。
本実施例において、光触媒部３０の厚みｔ１は、
０．１μｍ≦  ｔ１  ≦５ｍｍ
程度とすることが好ましく、１μｍ程度とすることが更に好ましい。光触媒部３０の厚みｔ１を適度に厚く（例えば、０．１μｍ以上）することで、光触媒の防汚作用を強力に働かせることができるとともに、光触媒部３０が適度に不透明になり、鮮明、精緻な画像を光触媒部３０に投影できるからである。また、厚みｔ１を適度に薄く（例えば、５ｍｍ以下）することで、投影された画像のぼやけを回避し、精緻、シャープな画像を光触媒部３０に投影できるからである。
【００３５】
本実施例において、光触媒部３０の厚みをｔ１とし、光路４１の最大径をｔ２としたとき、
０．０１≦  ｔ２／ｔ１  ≦１００
を満たすことが好ましい。可視光線の波長が３．８×１０-7ｍ〜７．８×１０-7ｍ程度であるから、当該範囲に設定することにより、可視光線の干渉、回析、散乱等の影響が低減されるからである。
【００３６】
図１に示した電子機器１は、表示装置１０の上部にファインダ９５１が設けられているので、撮影時にファインダ９５１を覗く際に、鼻などが表示装置１０に当たり、表示装置１０に皮脂などが付着しやすい。また、表示装置１０に近接した部分に操作スイッチ９９が配置されているので、操作スイッチ９９の操作時に表示装置１０に皮脂などが付着しやすい。しかしながら、図示の電子機器１は、図２〜図４に示した表示装置１０の構成をを包含するので、表示装置１０により得られる優れた作用効果を享受することができる。
【００３７】
次に、別の実施例に係る表示装置１０を説明する。以下に示す各実施例では、図１〜図４に示した表示装置１０と同一又は同様な機能を果たす部分には、同一又の符号を付し、重複する説明を適宜省略する。
【実施例２】
【００３８】
図６は表示装置１０の別の一実施例を示す部分断面図である。
図示の表示装置１０は、光路板４０の形状、及び、光触媒部３０の面積が図２、図３に示した表示装置１０と相違する。
【００３９】
本実施例の表示装置１０は、光路（ガラス光学ファイバー）４１の形状を変化させることにより、光路板４０の一端側４１１の面積よりも他端側４１２の面積が大きくなり、より大きな画像を視認できるという優れた作用効果を奏する。
【００４０】
また、本実施例の表示装置１０は、図１〜図４に示した表示装置１０と同様の構成要素を含むので、同様の優れた作用効果を奏することができる。
【実施例３】
【００４１】
図７は表示装置１０の更に別の一実施例を示す部分断面図である。
図示の表示装置１０は、光路板４０及び光触媒部３０の形状が図２、図３に示した表示装置１０と相違する。本実施例の表示装置１０は、図１〜図４に示した表示装置１０と同様の構成要素を含むので、同様の優れた作用効果を奏することができる。
【００４２】
また、図示の表示装置１０は、光路板４０の他端側４１２及び光触媒部３０が円弧状に形成されているから、広い視野角を確保でき、斜めの角度からでも高い視認性が得られるという優れた作用効果を奏することができる。
（変形例）
本実施例は、以下の変形も可能である。
（１）本発明に係る表示装置は、光触媒部３０の主成分を酸化チタンをとすることが好ましい。光触媒として酸化チタンを用いることにより、特に高い光触媒機能と、化学的な安定性と、人体に無害である特性が得られるからである。また、酸化チタンに窒素や硫黄を微量添加した光触媒を用いることにより、紫外線だけでなく、可視光を利用した有機物６０等の分解を実現し得るからである。
（２）本発明に係る表示装置は、電気的に処理して得られた画像を表示する装置に限定されず、例えば、カメラのファインダに光路板と光触媒部とを形成したもの等であってもよい。
（３）本発明に係る電子機器は、カメラに限定されるものではなく、表示装置に皮脂などの有機物６０が付着しやすい携帯機器などであってもよい。
【００４３】
なお、本第1実施例〜第３実施例及び変形例は、適宜組み合わせて用いることもできるが、詳細な説明は省略する。また、本発明は、以上説明した各実施例によって限定されることはない。
【図面の簡単な説明】
【００４４】
【図１】本発明の実施例１の電子機器を示す模式図である。
【図２】図１に示した表示装置を示す斜視図である。
【図３】図２のＡ−Ａ線に沿った断面図である。
【図４】図２に示した表示装置の使用態様を説明する図である。
【図５】比較例の表示装置の使用態様を説明する図である。
【図６】本発明の実施例２の電子機器を示す断面図である。
【図７】本発明の実施例３の電子機器を示す断面図である。
【符号の説明】
【００４５】
電子機器                １
表示装置                １０
光触媒部                ３０
光路板                  ４０
表示部                  ５０
【図１】
2007187972.tif 000003
【図２】
2007187972.tif 000004
【図３】
2007187972.tif 000005
【図４】
2007187972.tif 000006
【図５】
2007187972.tif 000007
【図６】
2007187972.tif 000008
【図７】
2007187972.tif 000009